(57)【特許請求の範囲】
【請求項１】
表示可能のカット画像の画素群を規定するデータを伝送する過程および受信機に表示するために当該カット画像を呼出すデータを伝送する過程を備えた伝送方法において、画素を規定するデータを伝送する過程が、前記カット画像の周期的に表示すべき少なくとも二つの動き姿態について画素を規定するデータの伝送を含み、前記受信機に表示するために前記カット画像を呼出すデータは、前記表示可能のカット画像に連結された番組のメニュ項目が規定するテキスト・ストリングに付随するデータであって、前記カット画像は前記番組のメニュ項目が規定するテキスト・ストリングにより表される番組のタイプを示すことを特徴とするグラフィック映像伝送方法。
【請求項２】
前記画素を規定するデータを伝送する過程が、前記カット画像の順次の動き姿態の表示間の時間間隔を表わす時間符号の伝送をさらに含む請求項１記載のグラフィック映像伝送方法。
【請求項３】
受信機に蓄積すべきカット画像の画素群を規定するデータを送信する手段および前記受信機に表示するために前記カット画像を呼出すデータを送信する手段を備えた送信機において、前記画素を規定するデータを送信する手段が、周期的に表示すべき前記カット画像の少なくとも二つの動き姿態について画素を規定するデータの送信を含むことに適応し、前記受信機に表示するために前記カット画像を呼出すデータは、表示可能の前記カット画像に連結された番組のメニュ項目が規定するテキスト・ストリングに付随するデータであって、前記カット画像は前記番組のメニュ項目が規定するテキスト・ストリングにより表される番組のタイプを示すことを特徴とするグラフィック映像送信機。
【請求項４】
前記画素を規定するデータを送信する手段が、前記カット画像の順次の動き姿態の表示間の時間間隔を表わす時間符号の送信を含むことにさらに適応している請求項３記載のグラフィック映像送信機。
【請求項５】
カット画像の画素群を規定するデータを蓄積するための第１のメモリ手段、表示のために前記カット画像を呼出すデータを蓄積するための第２のメモリ手段、および、カット画像の画素群を発生させるために前記第２メモリ手段に蓄積したデータの呼出しに応じて前記第１メモリ手段を読取るための表示信号発生手段を備えてグラフィック映像表示信号を発生させる表示信号発生器において、前記第１メモリ手段が前記カット画像の少なくとも二つの動き姿態について画素を規定するデータを蓄積するのに適応し、前記表示信号発生手段が、呼出しデータに応じ、前記カット画像の動き姿態のデータを呼出す蓄積画素を規定するデータを前記第１メモリ手段から周期的に読出すのに適応し、前記表示のために前記カット画像を呼出すデータは、表示可能の前記カット画像に連結された番組のメニュ項目が規定するテキスト・ストリングに付随するデータであって、前記カット画像は前記番組のメニュ項目が規定するテキスト・ストリングにより表される番組のタイプを示すことを特徴とするグラフィック映像表示信号発生器。
【請求項６】
時間間隔を表わす時間符号を蓄積するためのメモリ手段をさらに備え、表示手段が呼出しデータに応じて蓄積した動き姿態を周期的に呼出すのに適応した請求項５記載のグラフィック映像表示信号発生器。
【請求項７】
請求項５または６記載の表示信号発生器を備えるとともに、前記画素を規定するデータおよび呼出しデータを受信して復号し、前記メモリ手段に前記データを蓄積するのに適応した手段をさらに備えて、グラフィック映像表示信号を受信して処理する受信機。
【請求項８】
請求項７記載の受信機を備えたビデオレコーダ。
【発明の詳細な説明】
本発明は、表示可能のカット画像の画素群を規定するデータを伝送する過程および受信機に表示するために前記カット画像を呼出すデータを伝送する過程を備えて、グラフィック映像を伝送する方法に関するものである。本発明は、前記グラフィック映像を受信して表示するためのテレビジョン受信機および表示器に関するものでもある。
グラフィック映像を伝送する方法は、一般に、テレテキストとして知られている。ここで、映像はページの形で伝送され、各ページは、文字数字およびグラフィックの字体を各ページ毎に規定する多くの字体を備えている。共通に用いる字体を規定する画素パターンは、受信機のリードオンリーメモリ部に蓄えられている。従来周知の装置は字体群もしくは字体群の系列が“明滅”すなわち所定周波数で見え隠れし得るようになっている。これは、各ページに動的効果が加わるようにしたものである。
さらに複雑なテレキテスト方式（レベル３）は、通例“動的に再規定可能の字体セット”と呼ばれる特徴を備えている。この特徴は、各ページの編集者が字体群の画素パターンを送信端で規定して、その画素パターンを、各ページの伝送に先立ち、ランダムアクセスメモリに蓄えておくために受信機に配るようにさせている。
本発明の目的は、スクリーン上の映像の見栄をさらによくすることにある。
本発明によれば、この伝送方法は、画素を規定するデータを伝送する過程が、前記カット画像の周期的に表示すべき少なくとも二つの動き姿態について画素を規定するデータの伝送を含むことを特徴とする。前記画素を規定するデータを伝送する過程が、前記カット画像の順次の動き姿態の表示間の時間間隔を表わす時間符号の伝送をさらに含むこともある。このグラフィック映像は、このようにして、動的な画像（“ダイナコン”）で誇張される。
図１は、本発明による送信機および受信機を備えた方式を示したものである。
図２は、図１の送信機が実行する伝送過程のフローチャートを示したものである。
図３乃至図７は、図１の受信機に表示するための種々の動き姿態を有するカット画像の諸例を示したものである。
図８は、図１の受信機で表示すべき映像を示したものである。
図９は、図１に示したマイクロプロセッサで実行する動作のフローチャートを示したものである。
図１０乃至図１２は、図１に示した受信機の表示部分の実施例を示したものである。
本発明は、ここで、（個々に伝送される）電子的テレビジョン番組案内をアクセスするためのメニューの伝送を参照して説明する。しかしながら、本発明は、この用途に限られるものではない。図１は、本発明による送信機１および受信機２を備えた伝送系を示すものである。この送信機は、文字およびグラフィックの情報を創り出すための編集端１１、プロセッサ１２、かかる情報を蓄積するためのメモリ１３およびかかる情報をテレテキスト・ページＴＸＴに詰め込むためのページ構成器１４を備えている。この送信機は、さらに、テレテキスト・ページを複合ビデオ信号ＣＶＢＳの帰線期間に挿入するテレテキスト挿入器１５を備えている。このようにして得られたテレビジョン信号は、伝送媒体３一杯に放送するための変調器１６に印加される。
受信機は、かかるテレビジョン信号を受信するためのチューナ２１を備えている。受信した信号は、テレビジョン番組を表示するために、テレビジョン・モニタ２２に直接に印加される。この受信信号は、選択したテレテキスト・ページを取出してメモリ２４に蓄えるのに適応したテレキテスト・データ復号器２３にも印加される。マイクロプロセッサ２５は、関連したページ番号を印加するために復号器２３に接続され、さらに、メモリ２４に接続されて、そこに蓄積されている情報を処理する。受信機は、さらに、メモリ２４の所定の表示区分を読取り、そのメモリ区分に蓄えられたデータで規定されるスクリーン上表示画像ＯＳＤを発生させるのに適応したグラフィック発生器２６を備えている。そのＯＳＤ画像はカーソルを含んでおり、そのカーソルの位置は、遠隔カーソル制御器２７からの位置信号に応じてマイクロプロセッサが決める。
実際に、上述した受信機は、ビデオレコーダの形をとることができる。このビデオレコーダは、組込み表示器２２、もしくは、表示信号ＣＶＢＳおよびＯＳＤをテレビジョン・セットのような別個の表示器２２に供給するための出力端を有している。
送信機の動作
電子的番組案内は、その番組案内をアクセスして提示するためのメニューともども、編集端１１を用いる編集員によって創り出される。この情報は、プロセッサ１２により処理されて、メモリ１３の種々の区域に蓄積される。各メモリ区域は、データベースの一区分と見做されるデータの量を規定する。ページ構成器１４は、若干のテレテキスト・ページにその各区分を詰め込む。テレテキスト・ページは、そのまま表示する積もりのものではないので、６０分の１のページ番号をもっている。伝送エラーに最も敏感なデータ、すなわち、見出し、日付と時間、連続物の長さ、テレテキストのページ番号等は、ハミング符号で保護してある。第１テレテキスト・ページは、所定のページ番号（例えば３Ａ０）を有し、内容の表を含んでいる。これは、データ流を運ぶテレテキスト・ページ番号のリストである。内容の表がテレテキストの１ページに当てはまらない場合には、引続くテレテキストを参照する。
図２は、図１の送信機が実行する送信過程のフローチャートを示したものである。その各過程は、データベースの区分の伝送を表わしている。各区分は、一定の機能に関連して、パラメータ、値、テキスト長、特質等のデータ項目を備えている。過程３１では、基本情報区分が、日付と時間のような基本データおよびテレビジョン受信機内のメモリの管理を容易にするための他の一般データを備えて伝送される。過程３２では、設計情報区分が、電子的番組案内を構成するための種々の設計道具を規定して伝送される。過程３３では、多数のグラフィックカット画像がスクリーン上の表示のために規定されたグラフィック区分が伝送される。過程３４では、メニュ情報区分が伝送されて、番組案内をアクセスするためのメニュを運ぶ。過程３５では、テレビジョン番組案内データベースを作り上げるために番組情報区分が伝送される。データベースの伝送は、原案の終端符号を伝送する過程３６で終わる。データベースは、整然と、例えば毎日二・三回の割合で伝送する。
つぎに、各区分をさらに詳細に説朋しよう。本発明にとっては、全区分が同等に本質的ではないので、ある区分は、簡単にしか説明しない。つぎの説明では、各区分を二重枠で示す。ある区分のデータ項目の集まりはブロックを構成する。各ブロックは単線枠で示す。＋＋記号は、繰返し伝送されるデータ項目もしくはブロックの次に配置する。例えば、つぎの区分は、３データ項目を備え、そのうちの項目２および項目３を備えたブロックが繰返される。
0004426647.tif 000002
各区分は見出しで始まる。これは、その区分を識別してその始端を指示する符号である。（バイト、キャラクタ、ストリングなど）データ項目の種類は、本発明にとっては本質的ではないので、ここでは触れない。
基本情報区分
この区分は、日付および時間のような基本データと、テレビジョン受信機のメモリの管理を容易にするための他の一般的データとを備えている。この基本情報区分はつぎの様式を有する。
0004426647.tif 000003
ここで、日付および時間は、データベース発行の日付および時間である。番組番号は、番組情報区分に含まれたテレビジョン番組の番号である。メニュ項目番号は、メニュ情報区分中のメニュ項目番号である。グラフィック番号は、表情報区分に規定されたロゴスを含むグラフィックの通し番号である。プール寸法は、表題、番組情報および番組説明ならびに基準名称の全体の大きさである。
設計情報区分
この区分は、種々の設計道具を電子的番組案内の供給者に与える。この区分の様式はつぎのとおりである。
0004426647.tif 000004
色の番号および色＋＋は、色一覧表の長さおよび内容を規定する。不履行の場合には、標準テレテキスト色表を用いる。残余の区分は、スクリーン上の種々のメニュの見栄えを特定する。スクリーン寸法は、水平および垂直の方向における全スクリーンの寸法を画素数で表わしたものである。メニュは樹木の構造に構成されているので、各メニュにはレベル番号を利用し得るレベルが割当てられる。後述するように、レベルが異なる二つのメニュを同時に表示することができる。これは、“装置”と呼ばれる。見出しデータの項目は、メニュの見出しおよびメニュ項目の高さ、フォント、色、位置、間隔などの特徴を規定するデータの集まりである。
グラフィック区分
この区分では、スクリーンに表示し得る若干のグラフィックカット画像（以後短縮して“グラフィック”と呼ぶ）が規定される。この区分の一般的様式は、つぎのとおりである。
0004426647.tif 000005
ここで、グラフィック番号は、この区分で規定するグラフィックの番号を与える。グラフィック番号は、カット画像を呼出すための指数番号である。データ項目グラフィック自体は、矩形カット画像を規定するデータの集まりである。４種類のグラフィックが、つぎの原案：ビットマップ、シンボル、ダイナコンおよびテキスト・ストリングに区別されつつある。ビットマップはグラフィックに対する一般用語である。それはカット画像を形成する画素群の矩形マトリックスである。シンボルおよびタイナコンは同様であるが、特別の慣例を伴うビットマップである。シンボルは、テキスト・ストリング内で使用する積もりである。シンボルを含んだテキストは、そのシンボルを呼出すためのグラフィック番号を伴った逃がし特性を備えている。ダイナコンは、予め連続した若干のビットマップからなっている。各ビットマップは、それぞれ、ダイナコンの一つの動き姿態を表わす。かかる動き姿態を周期的に表示することにより、観視者はビットマップを順々に見ることになり、これは明らかにカット画像の簡単なアニメーションとなる。各姿態が表示されるべき時間周期は、受信機で固定し、もしくは、区分内のデータ項目として伝送することができる。一つの単独姿態を伴ったダイナコンはシンボルとなる。ビットマップを共通にする一つの完全な色表が姿態毎に存在するので、姿態群は色表に積み過ぎになる。ダイナコンはシンボルのように用いることができる。図３に示す二つの動き姿態は、情報の特別な部分に使用者の注意を引き付けるために、またたきをする眼の印象を与える。図４乃至図７は、テレビジョン番組の試写に加える積もりのものである。図５は子供向け番組を表わし、図６はライブ公演を表わし、図７は、鳥の生活に関する記録映画を表わすために羽ばたく翼の印象を与える二つの姿態を表わしたものである。
ビットマップ、シンボルおよびダイナコンは画素順次に、あるいはランレングス符号を用いて符号化することができる。グラフィックの種類および符号化の方法ともに、この目的のために多くの可能な値を有する区分見出しによって決められる。
画素順次に符号化したビットマップ、シンボルおよびダイナコンについて、グラフィックブロックの様式はつぎのとおりである。
0004426647.tif 000006
ここで、色毎のビットは、使用し得る色の番号を規定し、色表は、赤、緑および青の各レベルで各色を規定する３値の配列である。パラメータｘテレコーナおよびｙテレコーナは、スクリーン上のビットマップの位置を字体の配置で規定する。パラメータｘエクステンおよびｙエクステンは、スクリーン上のビットマップの寸法を画素数で規定する。画素ブロックは、色一覧表に対する指数で所定の走査順に各画素の色を規定する。各色指数は、各色ビットのビット数からなっている。
ランレングス符号化したビットマップ、シンボルおよびダイナコンについて、グラフィックブロックは、つぎのとおりである。
0004426647.tif 000007
上述したのと同じ規定を適用する。パラメータ・画素ブロック寸法は、多数のランレングス符号を収容した画素ブロックの寸法を規定する。グラフィック映像をランレングス符号化する方法は一般に周知されている。
メニュ情報区分
メニュ情報区分は、番組案内をアクセスするためのメニュを運び、非番組情報、例えばニュース類を伝送することもできる。この区分は、階層的に構成した図表の樹木を規定し、各図表は見出しおよび複数の項目からなっている。各項目は、新たなさらに詳細な副図表に広げることができる。このメニュ情報区分の伝送様式は、つぎの表に示すとおりである。
0004426647.tif 000008
項目番号は、メニュ項目に割当てた０から１を含めて１までの範囲の項目番号である。レベルは、無符号の数であり、その項目を備えたメニュが樹木のどの深さに位置しているかを示すものである。メニュ項目は、情報項目を表わす一連の特質である。メニュの所定のレベルにおける第１メニュ項目は、そのメニュの見出しである。
基本的には、このメニュ項目が規定するテキスト・ストリングは、スクリーン上のメニュ項目として表示されるべきものである。しかしながら、第１特質が特別の特質である場合には、このメニュ項目は、テレビジョン受信機の他の部分に蓄えられたストリング、例えば、特別のテレテキスト・ページにおけるテキストの一部、あるいは、番組情報区分で伝送する番組の名称に対する基準を表わす。
この区分における各メニュ項目は、それぞれに割当てた若干の特性を有しており、特性の番号は特性番号によって与えられる。特性は、引続くデータの種類および様式ともどもその特性を規定する見出しを備えたデータのかたまりである。ある特性はメニュ項目を強調もしくは拡大し、他の特性は、蓄えられた情報項目に適用すべき基準を規定して、その基準を満たす情報項目のリストを得るようにする。かかる特性の例をいくつか説明する。
日付挿入および時間挿入の特性は、このメニュ項目に現下の日付あるいは時間を挿入すべきであることを特定するものである。表示様式の明細（例えば“１４：２２”もしくは“２．２２ｐ．ｍ”）含めることができる。
特性グラフィックは、表示すべきグラフィックカット画像のグラフィック番号を特定するものである。この特性がメニュ見出し（所定レベルにおける第１メニュ項目）に継がれる場合には、関連したメニュが表示されている期間中にカット画像が表示されるべきである。この特性が選択可能のメニュ項目に継がれる場合には、スクリーン上でカーソルがその項目に触れたときに、カット画像が不意に現れる。
特性関連項目は、メニュ項目と他の表示可能情報との間の連結を確立して、両方を同時に表示するようにしたものである。可能な連結のいくつか（例えばグラフィックカット画像）はすでに説明してある。この特性は、番組ともどもメニュ項目に付加することができる（番組情報区分参照）。関連項目をスクリーン上に配置すべき表示領域は、特定されている。関連項目は、その特性を伴った項目がスクリーン上に唯一存在する場合、もしくは、カーソルがその項目に触れた場合には、いつでも、表示される。連結は異なる区分の要素、もしくは、テレテキスト・ページ（の一部）に対して設定することができる。また、連結は、それだけで、表示すべきテキスト・ストリングを規定することができる。これは、特性見出しの直後の符号によって規定される。
特性多重レベルは、受信機に指示して、メニュの二つのレベルを一つのスクリーン上に同時に表示させる。この特性は、メニュの見出しに所定レベルで付加され、次のより高いレベルと次のより低いレベルとのいずれが表示されるべきかを特定する。
番組情報区分
メニュ情報区分がデータ・ベースを通るようにしてメニュ樹木を構成すべきであるのに対し、番組情報区分はテレビジョン番組のデータ・ベースを作り上げるべきものである。この区分は、番組案内の中で利用可能であり、ある基準（すなわち、伝送のデータおよび時間、部類）を満たす番組を探すのに必要な必須情報をすべて含んでいる番組を全部運ぶ。このことは本発明には無関係であるので、詳細な説明は省略する。
メニュページの例
図８には、表示すべきメニュ・ページの例を示す。このメニュは、見出し１００（例えば、ストリング“主メニュ”）、第１メニュ項目１０１（例えば“テレビ案内”）、第２メニュ項目１３２（“早見器”）および第３メニュ項目１５０（“使用者案内”）を備えている。この映像は、さらに、カット画像２０２、例えば重要な放送者メッセージを含む。使用者の注意をひくために、ダイナコン２０１がその次に表示される。図８のスクリーンを規定するためのメニュ情報区分の関連データはつぎのとおりである：
項目番号＝０，レベル＝０，項目＝“主メニュ、特性番号＝２，
特性＝｛グラフィック，．．．｝，｛グラフィック，．．．｝
項目番号＝１，レベル＝０，項目＝“テレビ案内”，特性番号＝０；
項目番号＝２，レベル＝０，項目＝“早見器”，    特性番号＝０；
項目番号＝３，レベル＝０，項目＝“使用者案内”，特性番号＝０；
ここに、項目番号１乃至３が使用者にとって選択可能の３メニュ項目を規定しているのに対し、項目番号０は見出しを規定している。見出しに付随した２特性｛グラフィック，．．．｝は、表示されるべきカット画像２０１および２０２を呼出す。この特性には、受信機の関連メモリ部分におけるカット画像の位置を識別するために、パラメータグラフィック番号（グラフィック情報区分参照）が含まれる。
受信機の動作
この動作は、マイクロプロセッサ２５（図１）のメモリに蓄積した制御プログラムによって決まる。図９には、このマイクロプロセッサが行なう動作のフローチャートを示す。初期段階４１では、このプロセッサが、データベースを構成する一連のテレテキスト・ページを決定する。すでに述べたように、予定のページが取得されるべきページのリストを備えている。段階４１では、このプロセッサが関連したページ番号をデータ復号器２３（図１）に供給する。各ページが到着するにつれて、それぞれに収容されているデータがメモリ２４（図１）に蓄積される。このプロセッサは、メモリの対応した部分にデータベースの各部を蓄積するために、受信したデータを仕分ける。この過程の期間中、使用者は、テレビジョン受信機を、他の目的、例えば、テレビジョン番組の観視に用いることができる。この過程は、受信機の待機状態、例えば夜間に行なうこともできる。
段階４２は、使用者がテレビジョン番組案内を調べたい場合に実行される。この段階では、プロセッサは、メニュ情報区分を保持しているメモリ部分で、表示すべきメニュに関連した全項目を探査する。初期主メニュについては、この段階は、レベル＝０を有する全項目を探査するのと等価である。段階４３では、テキストのフォント、高さ、間隔、色などのような、メモリ２４（図１）の予定部分に蓄積されている割付け情報区分に規定されている表示パラメータを用いて、メニュが構成され、表示される。このプロセッサは、さらに、特性｛グラフィック，．．．｝が見出しに連携しているか否かを調べる。かかる特性に応じた行動は、“受信機実施例の説明”の文節でさらに詳細に説明する。
段階４４では、遠隔カーソル制御器２７（図１）からのカーソル位置信号に応じて、このプロセッサがスクリーン上に表示されたカーソルの位置を制御する。段階４５では、このプロセッサが、使用者がメニュ項目を選択しているか否かを決定する。然らざる場合には、段階４４に戻って、遠隔制御器２７（図１）から受ける位置信号に応じ、カーソルを戻す。メニュ項目が選択された場合には、プロセッサは、段階４２に戻って、新たなメニュを表示する。
受信機実施例の説明
図１０は、受信機２（図１）の表示部分の第１実施例をさらに詳細に示す。この実施例は、文字に基づく表示器に関係している。受信機のメモリ２４（図１）は、表示すべき各文字について文字符号を蓄積した部分２４１、共通の文字数字記号の画素パターンを保持するリードオンリ部分２４２、および、ダイナコンの動き姿態の画素パターン（Ｄ１，Ｄ２）を保持するランダム・アクセス・メモリ部分２４３を備えている。文字符号は、グラフィック発生器２６が供給する読出しアドレスに応じ、左から右へ、上から下へ、順次に読出される。共通の記号を表わす文字記号Ｘは、ＲＯＭ部分２４２におけるそれぞれの位置をアドレスする。ダイナコンを表わす文字符号は、ＲＡＭ部分２４３におけるそれぞれの位置をアドレスする。アドレスした部分に蓄えられている画素群は、グラフィック発生器２６に供給されてテレビジョン・モニタ２２（図１）に表示される。所望の動画を得るためには、プロセッサ２５が、メモリ部分２４１内の動き姿態Ｄ１およびＤ２について文字符号を描く。
図１１は第２実施例を示す。この実施例は、ビットマップ化装置に関するものである。受信機のメモリ２４（図１）は、今度は、表示すべき個々の画素に対するメモリ位置を有するメモリ部分２４４および共通の文字数字記号の画素パターンをダイナコンの動き姿態（Ｄ１，Ｄ２）の画素パターンともども保持するためのメモリ部分２４５を備えている。かかるメモリ部分は、ともに、ＲＡＭ型のものである。映像を表示するためには、プロセッサ２５は、メモリ部分２４５に蓄積した関連画素パターンをメモリ部分２４４に複写する。プロセッサは、ダイナコンを形成するために、画素パターンをメモリ２４４のＤと表示した部分に書込む。メモリ部分２４４に蓄積した画素群は、グラフィック発生器２６が供給する読出しアドレスに応じて、左から右へ、上から下へ、順次に読出される。
図１２は、第３実施例を示す。ビットマップ化したメモリ部分が、今度は、少なくとも二つのメモリ層２４７および２４８を備えて、それぞれを動き姿態に当てる。図示の実施例では、二つの１ビット層を設けてある。両方の１ビット層は、同時に読出されて、各画素毎に２ビット値を得る。この画素値は、グラフィック発生器２６（図１）に含まれている色一覧表２６１（ＣＬＵＴ）に印加されて、そこに蓄えられている色の定義をアドレスする。プロセッサは、色一覧表ＣＬＵＴを周期的に更新するか、これと等価に、二つの異なる色一覧表ＣＬＵＴの間で切換えを行なう。この実施例の動作を説明すると、１ビット幅画素パターン１１０を有する動き姿態Ｄ１がメモリ層２４８に蓄積され、画素パターン０１１を有する動き姿態Ｄ２がメモリ層２４７に蓄積される。この二つの動き姿態は、２ビット幅画素０１，１１および１０として、色一覧表ＣＬＵＴに順次に供給される。動き姿態Ｄ１を表示するためには、背景色Ｂおよび前景色Ｆは、列Ｄ１に指示されているとおりに色一覧表ＣＬＵＴに蓄積される。動き姿態Ｄ２を表示するためには、各色を列Ｄ２に指示されているとおりに蓄積する。容易に理解されるように、列Ｄ１から列Ｄ２への切換えは、線の水平部分が右へ動く効果を生ずる。
グラフィック画像データは、必ずしも、放送テレビジョン信号の垂直帰線期間に収容されるべきものではないことに留意する。かかるデータは、電話回線網もしくはコンピュータ回線網（例えば、インターネット）を介して伝送し、あるいは、ＣＤＲＯＭもしくはコンピュータ・ディスクのような蓄積媒体によって分布することもできる。したがって、この受信機は、データ信号を受信するための適切なインターフェース回路（“拡張カード”）を備えて、データ処理表示ユニット（例えば、パーソナル・コンピュータ）の形をとることができる。
要約すれば、グラフィック映像を送信、受信および表示する方法および装置が開示されている。グラフィック映像には、動的画像（ダイナコン）、すなわち、二三の動き姿態を備えたグラフィックカット画像が含まれている。かかる動き姿態を交互に表示することにより、魅力的な動きが創り出される。かかる動き姿態は、グラフィック映像の見栄えを著しくよくする。このことは、電子的テレビジョン番組案内の伝送において、例えば、到来すべきテレビジョン番組の種類を指示するのに特に有用である。
【図１】
0004426647.tif 000009
【図２】
0004426647.tif 000010
【図８】
0004426647.tif 000011
【図３】
0004426647.tif 000012
【図４】
0004426647.tif 000013
【図５】
0004426647.tif 000014
【図６】
0004426647.tif 000015
【図７】
0004426647.tif 000016
【図９】
0004426647.tif 000017
【図１０】
0004426647.tif 000018
【図１１】
0004426647.tif 000019
【図１２】
0004426647.tif 000020